(57)【要約】【課題】多数のマルチメディアデータの中から適切なマルチメディアデータを選択することができる再生装置及びその制御方法、プログラム及び記録媒体を提供する。【解決手段】車載再生装置１００は、環境情報取得部１７０から車両の環境情報を取得し、この取得した環境情報に基づいて、再生時の環境に合わせたマルチメディアデータを、記憶部１３０に記憶された多数のマルチメディアデータの中から選択する。【選択図】      図１
2004348895.tif 000002
【特許請求の範囲】
【請求項１】
複数のマルチメディアデータを選択的に再生する車載再生装置において、
再生時の環境に関する環境情報を取得する環境情報取得手段と、
前記環境情報取得手段が取得した環境情報に基づいて、前記環境に合わせたマルチメディアデータを、前記複数のマルチメディアデータの中から選択する選択手段と
を有することを特徴とする車載再生装置。
【請求項２】
前記選択手段は、前記選択の際に、使用者との間で対話を行う対話手段を有し、前記対話に基づいて前記選択を行うことを特徴とする請求項１に記載の車載再生装置。
【請求項３】
前記環境情報取得手段は、前記環境情報として、車両周辺の天気、現在の時間帯、車両の走行状況、車両の周辺環境又は車両内の乗員に関する情報のいずれか一つ以上の情報を取得することを特徴とする請求項１又は２に記載の車載再生装置。
【請求項４】
前記環境情報取得手段は、車両周辺の天気及び走行状況に関する情報を検出する検出手段、現在時刻を計時する時刻計時手段、車両の位置情報を取得する位置情報取得手段の少なくともいずれかを有し、この手段から取得した情報を、前記環境情報として取得することを特徴とする請求項１又は２に記載の車載再生装置。
【請求項５】
前記選択手段は、環境情報と、前記複数のマルチメディアデータとを対応づけたテーブルを記憶し、このテーブルに基づいて、前記取得した環境情報から、前記マルチメディアデータを選択することを特徴とする請求項１乃至４のいずれかに記載の車載再生装置。
【請求項６】
前記選択手段は、通信ネットワークを介して外部のサーバとの間で通信を行う通信手段を有し、この通信手段を介して前記サーバから前記テーブルのデータを取得することを特徴とする請求項５に記載の車載再生装置。
【請求項７】
前記マルチメディアデータは、楽曲データを含むことを特徴とする請求項１乃至６のいずれかに記載の車載再生装置。
【請求項８】
複数のマルチメディアデータを選択的に再生する車載再生装置の制御方法において、
再生時の環境に関する環境情報を取得する環境情報取得手順と、
前記取得した環境情報に基づいて、前記環境に合わせたマルチメディアデータを、前記複数のマルチメディアデータの中から選択する選択手順と
を有することを特徴とする車載再生装置の制御方法。
【請求項９】
複数のマルチメディアデータをコンピュータにより選択的に再生する車載再生装置を制御するための制御プログラムにおいて、
コンピュータに、
再生時の環境に関する環境情報を取得する環境情報取得手順と、
前記取得した環境情報に基づいて、前記環境に合わせたマルチメディアデータを、前記複数のマルチメディアデータの中から選択する選択手順と
を実行させるための制御プログラム。
【請求項１０】
複数のマルチメディアデータをコンピュータにより選択的に再生する車載再生装置を制御するための制御プログラムを記録した記録媒体において、
コンピュータに、
再生時の環境に関する環境情報を取得する環境情報取得手順と、
前記取得した環境情報に基づいて、前記環境に合わせたマルチメディアデータを、前記複数のマルチメディアデータの中から選択する選択手順と
を実行させるための制御プログラムを記録した記録媒体。
【発明の詳細な説明】
【０００１】
【発明の属する技術分野】
本発明は、複数のマルチメディアデータを再生する車載再生装置及びその制御方法、制御プログラム及び記憶媒体に関する。
【０００２】
【従来の技術】
近年、車載用の楽曲再生装置においては、ＨＤＤ（ハードディスクドライブ）を具備し、このＨＤＤに所定の圧縮フォーマットで圧縮された楽曲データを記憶して再生できるようにしたものが知られている（例えば、特許文献１参照）。
【０００３】
【特許文献１】
特開２００３−１４１８５５号公報
【０００４】
【発明が解決しようとする課題】
しかしながら、ＨＤＤに記録可能な楽曲数は膨大であり、その中から使用者が所望の曲を探すのは煩雑な問題があった。このため、使用者が忘れた楽曲などは、二度と再生されない可能性が高く、ＨＤＤに記憶された多数の楽曲資源を有効利用できなくなってしまう。一方、この種の楽曲再生装置には、ＨＤＤに記憶された多数の楽曲をランダム再生する機能を具備するものもある。しかしながら、ランダム再生の場合は、使用者の好みに合わない楽曲が選曲される場合があり、好みの曲が選曲されるまでスキップ操作を行う等、煩雑な作業が必要となり、結局、選曲操作が煩雑になってしまうという問題があった。
【０００５】
本発明は、上述した事情に鑑みてなされたものであり、多数の楽曲などのマルチメディアデータの中から適切なマルチメディアデータを選択することができる車載再生装置及びその制御方法、制御プログラム及び記録媒体を提供することを目的としている。
【０００６】
【課題を解決するための手段】
上述課題を解決するため、請求項１に記載の発明は、複数のマルチメディアデータを選択的に再生する車載再生装置において、再生時の環境に関する環境情報を取得する環境情報取得手段と、前記環境情報取得手段が取得した環境情報に基づいて、前記環境に合わせたマルチメディアデータを、前記複数のマルチメディアデータの中から選択する選択手段とを有することを特徴とする。
【０００７】
また、請求項２に記載の発明は、請求項１に記載の構成において、前記選択手段は、前記選択の際に、使用者との間で対話を行う対話手段を有し、前記対話に基づいて前記選択を行うことを特徴とする。
【０００８】
また、請求項３に記載の発明は、請求項１又は２に記載の構成において、前記環境情報取得手段は、前記環境情報として、車両周辺の天気、現在の時間帯、車両の走行状況、車両の周辺環境又は車両内の乗員に関する情報のいずれか一つ以上の情報を取得する。
【０００９】
また、請求項４に記載の発明は、請求項１又は２に記載の構成において、前記環境情報取得手段は、車両周辺の天気及び走行状況に関する情報を検出する検出手段、現在時刻を計時する時刻計時手段、車両の位置情報を取得する位置情報取得手段の少なくともいずれかを有し、この手段から取得した情報を、前記環境情報として取得することを特徴とする。
【００１０】
また、請求項５に記載の発明は、請求項１乃至４のいずれかに記載の構成において、前記選択手段は、環境情報と、前記複数のマルチメディアデータとを対応づけたテーブルを記憶し、このテーブルに基づいて、前記取得した環境情報から、前記マルチメディアデータを選択することを特徴とする。
【００１１】
また、請求項６に記載の発明は、請求項５に記載の構成において、前記選択手段は、通信ネットワークを介して外部のサーバとの間で通信を行う通信手段を有し、この通信手段を介して前記サーバから前記テーブルのデータを取得することを特徴とする。
【００１２】
また、請求項７に記載の発明は、請求項１乃至６のいずれかに記載の構成において、前記マルチメディアデータは、楽曲データを含むことを特徴とする。
【００１３】
また、請求項８に記載の発明は、複数のマルチメディアデータを選択的に再生する車載再生装置の制御方法において、再生時の環境に関する環境情報を取得する環境情報取得手順と、前記取得した環境情報に基づいて、前記環境に合わせたマルチメディアデータを、前記複数のマルチメディアデータの中から選択する選択手順とを有することを特徴とする。
【００１４】
また、請求項９に記載の発明は、複数のマルチメディアデータをコンピュータにより選択的に再生する車載再生装置を制御するための制御プログラムにおいて、コンピュータに、再生時の環境に関する環境情報を取得する環境情報取得手順と、前記取得した環境情報に基づいて、前記環境に合わせたマルチメディアデータを、前記複数のマルチメディアデータの中から選択する選択手順とを実行させることを特徴とする。
【００１５】
また、請求項１０に記載の発明は、複数のマルチメディアデータをコンピュータにより選択的に再生する車載再生装置を制御するための制御プログラムを記録した記録媒体において、コンピュータに、再生時の環境に関する環境情報を取得する環境情報取得手順と、前記取得した環境情報に基づいて、前記環境に合わせたマルチメディアデータを、前記複数のマルチメディアデータの中から選択する選択手順とを実行させるための制御プログラムを記録したことを特徴とする。
【００１６】
【発明の実施の形態】
以下、図面を参照して本発明の実施形態を詳述する。以下に示す実施形態は、本発明の一態様を示すものであり、この発明を限定するものではなく、本発明の範囲内で任意に変更可能である。
（１）  第１実施形態
図１は、本実施形態に係る車載再生装置を含む通信システムの概要構成を示す図である。この通信システム１は、配信サーバ１０と、複数の車載再生装置１００とを有している。なお、同図には、配信サーバ１０と車載再生装置１００とを、各々１台ずつ例示しているが、その台数は任意である。
【００１７】
配信サーバ１０は、一般的なコンピュータシステムから構成され、楽曲データを通信ネットワーク４を介して車載再生装置１００に配信するものであり、多数の楽曲データが格納されたデータベース１１を備えている。
【００１８】
車載再生装置１００は、自動車などの車両に搭載され、使用者（運転者、同乗者など）の指示に応じて配信サーバ１０から楽曲データをダウンロードし、取得した楽曲データを再生する。
【００１９】
図示のように、この車載再生装置１００は、制御部１１０と、通信装置１２０と、記憶部１３０とを備えている。制御部１１０は、ＣＰＵ、ＲＯＭ、ＲＡＭなどを備え、車載再生装置１００の各部を制御する。
【００２０】
通信装置１２０は、通信ネットワーク４に接続された各種端末装置とデータ通信するものである。より具体的には、通信装置１２０は、例えば携帯電話機あるいは無線ＬＡＮ（Ｌｏｃａｌ  Ａｒｅａ  Ｎｅｔｗｏｒｋ）通信装置などの移動通信装置に相当し、無線通信網３を介して当該無線通信網３あるいはインターネット２に接続された各種端末とデータ通信する。本実施形態では、この通信装置１２０は、特に配信サーバ１０とデータ通信することで、この配信サーバ１０からマルチメディアデータとしての楽曲データを受信する。
【００２１】
記憶部１３０は、ＨＤＤ（Ｈａｒｄ  Ｄｉｓｋ  Ｄｒｉｖｅ）などの記憶装置を備え、制御部１１０により実行される各種制御プログラムや、配信サーバ１０から受信した多数の楽曲データ、合成音声用のテキストデータ、地図データなどが記憶される。
【００２２】
楽曲再生部１４０は、制御部１１０の制御の下、記憶部１３０に記憶された楽曲データを再生し、アナログ音声信号をミキサ１４１に出力する。アンプ１４２は、ミキサ１４１からのアナログ音声信号を増幅してスピーカ１４３に出力する。スピーカ１４３は、アンプ１４２から入力されたアナログ音声信号に応じて放音する。
【００２３】
マイク１５０は、収音装置であり、本実施形態では、使用者が発した音声を収音し、アナログ音声信号をアンプ１５１に出力する。アンプ１５１は、入力されたアナログ音声信号を増幅してＡ／Ｄ変換器１５２に出力する。Ａ／Ｄ変換器１５２は、入力されたアナログ音声信号をデジタル音声信号に変換し、ＶＲ１５３に出力する。
【００２４】
ＶＲ（Ｖｏｉｃｅ  Ｒｅｃｏｇｎｉｔｉｏｎ：音声認識部）１５３は、入力されたデジタル音声信号に基づいて音声認識処理を実行し、その認識結果を制御部１１０に出力する。実施形態では、制御部１１０が、このＶＲ１５３を介して使用者が発生した音声を取得し、この音声の内容に応じて車載再生装置１００の各部を制御する。
【００２５】
操作部１５４は、電源のオンオフを指示する操作ボタンなどの操作子を具備し、操作子の操作を制御部１１０に通知する。制御部１１０は、この操作部１５４の操作に応じて車載再生装置１００の電源のオン／オフ処理などを行う。
【００２６】
ＴＴＳ（Ｔｅｘｔ  Ｔｏ  Ｓｐｅｅｃｈ：音声変換部）１６０は、制御部１１０の制御の下、記憶部１３０に記憶されたテキストデータに基づいて音声変換処理を実行し、そのテキストデータのテキストを読み上げるデジタル音声信号を生成する。このＴＴＳ１６０は、男声又は女声などの複数種類の声色でデジタル音声信号を生成する機能を具備し、使用者が予め設定した声色でデジタル音声信号を生成する。
【００２７】
Ｄ／Ａ変換器１６１は、入力されたデジタル音声信号をアナログ音声信号に変換し、ミキサ１４１を介してアンプ１４２に出力する。これにより、この車載再生装置１００は、楽曲或いは合成音声をスピーカ１４３から放音する。
【００２８】
環境情報取得部（環境情報取得手段）１７０は、この楽曲再生時の環境（状況、状態を含む）に関する情報（以下、環境情報という。）を取得し、制御部１１０に出力する。この環境情報取得部１７０は、車両周辺の天気及び車両の走行状況に関する情報を取得するセンサ部（検出手段）１７１と、現在時刻を計時する時刻計時部（時刻計時手段）１７２と、車両の位置情報を取得するＧＰＳ（Ｇｌｏｂａｌ  Ｐｏｓｉｔｉｏｎｉｎｇ  Ｓｙｓｔｅｍ）部（位置情報取得手段）１７３とを有している。
【００２９】
より具体的には、センサ部１７１は、車両の天気に関するものとして、照度、湿度、ワイパー動作速度を検出する複数のセンサを備え、また、車両の走行状況に関するものとして、車速パルスを検出するセンサを備えている。また、時刻計時部１７２は、リアルタイムクロックが適用され、ＧＰＳ部１７３は、図示を省略したＧＰＳアンテナを介してＧＰＳ衛星からの電波を受信して車両の現在位置を算出する。本実施形態では、制御部１１０が、センサ部１７１の出力に基づいて、ワイヤ動作速度が所定速度以上の場合に雨と特定し、雨でない場合、照度、湿度に基づき晴れか曇りかを総合的に判断し、車速パルスに基づき渋滞か否かを特定する。また、制御部１１０は、時刻計時部１７２が計時した時刻に基づいて、現在の時間帯が、朝、昼、夜のいずれに該当するかを検出する。さらに、制御部１１０は、ＧＰＳ部１７３が算出した位置情報に基づいて記憶部１３０に記憶された地図データを参照し、車両の周辺環境が、市街地、田舎、山、川、海のいずれに該当するかを検出する。なお、本実施形態で用いる地図データは、市街地、田舎、山、川、海の位置を示す情報を含んでおり、制御部１１０が、位置情報で示される位置が、いずれの位置及びその近辺に属するかを判別することで、車両の周辺環境を特定する。
【００３０】
また、本実施形態では、運転時の環境に応じて最適な楽曲データを選択するための楽曲選択テーブル２００が記憶部１３０に記憶される。図２は、この楽曲選択テーブル２００の一例を示す図である。同図に示すように、楽曲選択テーブル２００は、天気、時間帯、走行状況、周辺環境からなる環境情報と、楽曲データの曲名（楽曲データ特定用の識別情報）とを対応づけたテーブルである。この環境情報と楽曲データとの対応関係は、例えば、天気が晴れの場合は明るい雰囲気の曲、曇りの場合は沈んだ雰囲気の曲、雨の場合は落ち着いた雰囲気の曲、時間帯が朝の場合はさわやかな曲、渋滞の時はいらいらが解消できるような曲といったように、環境が人に与える雰囲気と曲調や歌詞などが一致する楽曲、若しくは、その環境で選ぶ可能性が高いと予想される楽曲を対応づけて記述している。本実施形態では、この楽曲選択テーブル２００を配信サーバ１０から受信する。なお、この楽曲選択テーブル２００を使用者が編集したり、新規に作成できるようにしてもよく、また、複数の異なる楽曲選択テーブル２００を記憶部１３０に記憶し、使用者の好みに応じて使用する楽曲選択テーブル２００を切り換え可能にしてもよい。
【００３１】
次に、実施形態の動作を説明する。この車載再生装置１００は、電源が投入されると、制御部１１０が記憶部１３０に記憶された制御プログラムを読み出して実行する。本実施形態では、まず、制御部１１０は、使用者からの指示の入力を待ち受け、例えば音声指示を入力すると、その指示に応じて、指示された楽曲を再生する通常再生処理、ダウンロード処理、おすすめ曲再生処理のいずれかを実行する。
【００３２】
より具体的には、制御部１１０は、マイク１５０を介して入力した音声から得たテキストが所定のテキスト（例えば曲名）に該当する場合は、その曲名の楽曲データを記憶部１３０から読み出して再生する。このとき、制御部１１０は、記憶部１３０のテキストデータに基づいて例えば「（曲名）を再生してもよいですか」の合成音声をスピーカ１４３から放音し、使用者から肯定表現の音声（「はい」、「うん」、「ＹＥＳ」）が入力されるのを待って再生を開始する（通常再生処理）。また、制御部１１０は、マイク１５０を介して入力した音声から得たテキストが所定のテキスト（例えばダウンロード）に該当する場合は、曲名の入力を求めるべく、所定の合成音声を放音し、使用者から音声により曲名が入力されると、その曲名の楽曲データを配信サーバ１０から受信する（ダウンロード処理）。これにより、制御部１１０は、使用者との間で対話を行う対話手段として機能する。
【００３３】
また、制御部１１０は、マイク１５０を介して入力した音声から得たテキストが、おすすめ曲再生処理の実行開始を指示するテキストに該当する場合、おすすめ曲再生処理を開始する。図３は、おすすめ曲再生処理を示すフローチャートである。
【００３４】
まず、制御部１１０は、天気、時間帯、走行状況、周辺環境からなる環境情報を取得更新する環境情報更新処理を実行する（ステップＳａ１）。図４は、環境情報更新処理を示すフローチャートである。この環境情報更新処理においては、制御部１１０は、センサ部１７１から天気及び車両の走行状況に関する情報（照度、湿度、ワイパー動作速度、車速パルス）を取得し（ステップＳｂ１）、時刻計時部１７２から現在時刻を取得し（ステップＳｂ２）、ＧＰＳ部１７３から車両の位置情報を取得する（ステップＳｂ３）。次に、制御部１１０は、これら取得した情報に基づいて、天気、時間帯、走行状況、周辺環境からなる環境情報を特定し、記憶部１３０の所定エリアに格納する（ステップＳｂ４）。これにより、制御部１１０は、現在の環境情報を取得することができる。
【００３５】
次いで、制御部１１０は、記憶部１３０のテキストデータに基づいて「おすすめの曲はどうですか」の合成音声をスピーカ１４３から放音し（ステップＳａ２）、音声入力があるまで待機する（ステップＳａ３）。そして、音声入力があれば、制御部１１０は、その入力音声から得たテキストが肯定表現（「はい」、「うん」、「ＹＥＳ」）に該当するか否かを音声認識する（ステップＳａ４）。このように、この車載再生装置１００は、対話用の合成音声を放音することにより、使用者との対話によって処理を順次進めることができる。
【００３６】
このステップＳａ４の処理において、入力音声が肯定表現に該当すると判断された場合、制御部１１０は、記憶部１３０の所定エリアに格納した最新の環境情報に基づいて楽曲選択テーブル２００を参照し、その環境情報に対応づけられた楽曲データを選択（特定）し（ステップＳａ５）、その楽曲データを記憶部１３０から読み出して再生を開始する（ステップＳａ６）。なお、図３に示したように、環境情報に対応づけられた楽曲データが複数存在する場合は、予め定めた順またはランダムに一曲を選択し、若しくは、それらの曲の再生順を決定し、楽曲データを再生する。これにより、制御部１１０は、多数の楽曲データの中からおすすめの曲を選択する選択手段として機能する。
【００３７】
以上説明したように、本実施形態の車載再生装置１００においては、再生時の現在の環境情報を取得し、おすすめの曲を、この環境情報に基づいて記憶部１３０に記憶された多数の楽曲データの中から選択するので、再生時の環境に応じて使用者が所望する可能性が高い楽曲データを選択することができる。従って、使用者が所望する楽曲を、使用者の指示を入力することなく自動で選曲することが可能となる。また、使用者との間で対話をしながら曲選択を行うので、使用者はハンドルから手を離すことなく円滑に曲選択や曲再生を指示することができる。
（２）  第２実施形態
第２実施形態に係る車載再生装置１００Ａが、第１実施形態に係る車載再生装置１００と異なる点は、おすすめ曲再生処理において、曲の再生前後（或いは再生中）に話題や曲紹介の音声を出力し、あたかもディスクジョッキー（以下、ＤＪという。）が存在するかのような音声を放音するようにした点である。具体的には、この車載再生装置１００Ａにおいては、記憶部１３０に、ＤＪの素材となるマルチメディアデータとしての複数の話題データを格納すると共に、運転時の環境に応じて最適な話題データを選択するための話題選択テーブル２１０を格納している。本実施形態では、この話題データは、話題や曲紹介の内容を記述したテキストデータ若しくは音声データが適用される。
【００３８】
図５は、話題選択テーブル２１０の一例を示す図である。同図に示すように、話題選択テーブル２１０は、天気、時間帯、走行状況、周辺環境を組み合わせた環境情報と、話題データ（図５に示すＤＪ（話題データ特定用の識別情報））とを対応づけたテーブルである。この組み合わせは、実際のＤＪが環境に応じて選択するであろう話題、曲紹介方法の話題データを、その環境と対応づけたものである。なお、この楽曲選択テーブル２００や話題データは、配信サーバ１０から受信する。
【００３９】
次に、おすすめ曲再生処理の動作を説明する。図６及び図７は、おすすめ曲再生処理を示すフローチャートである。このフローチャートにおいて、第１実施形態とステップＳａ１〜Ｓａ４までの処理は同一であるため、以下、ステップＳａ４以降の処理を説明する。
【００４０】
ステップＳａ４の処理において、入力音声が肯定表現に該当すると判断された場合、制御部１１０は、記憶部１３０のテキストデータに基づいて「ＤＪを入れますか」の合成音声をスピーカ１４３から放音し（ステップＳｃ５）、音声入力があるまで待機する（ステップＳｃ６）。そして、音声入力があれば、制御部１１０は、その音声から得たテキストが肯定表現（「はい」、「うん」、「ＹＥＳ」）に該当するか、否定表現（「いいえ」、「しない」、「ＮＯ」）に該当するかを判断する（ステップＳｃ７）。この判断において、肯定表現に該当すると判断された場合、制御部１１０は、記憶部１３０の所定エリアに格納した最新の環境情報に基づいて話題選択テーブル２１０を参照し、その環境情報に対応づけられた話題データを選択（特定）すると共に（ステップＳｃ８）、その環境情報に基づいて楽曲選択テーブル２００を参照し、その環境情報に対応づけられた楽曲データを選択（特定）する（ステップＳｃ９）。次いで、制御部１１０は、選択した楽曲データの再生に先立って、選択した話題データを再生し、その再生後（あるいは再生中）に楽曲データの再生を開始する（ステップＳｃ１０）。これにより、話題や曲紹介の音声が出力された後（あるいは再生中に）に、曲が再生されて、あたかもＤＪが存在しているかのように楽曲を再生することができる。本実施形態では、特に、再生時の環境に最適な話題や曲紹介が提供されて、かつ、その環境に最適な曲が選曲されるので、従来に比してより楽しい音楽環境を提供することができる。
【００４１】
一方、ステップＳｃ７の判断において、否定表現に該当すると判断された場合、制御部１１０は、記憶部１３０の所定エリアに格納した最新の環境情報に基づいて楽曲選択テーブル２００を参照し、その環境情報に対応づけられた楽曲データを特定（選択）し（ステップＳａ５）、その楽曲データを記憶部１３０から読み出して再生する（ステップＳａ６）。これにより、第１実施形態と同様に、使用者が所望する楽曲だけを再生することも可能となっている。
（３）  変形例
上述の各実施形態においては、運転時の環境に応じて楽曲を選択する場合について述べたが、運転時の環境に応じてＤＪ用のデータだけを選択するようにしてもよい。要は、マルチメディアデータを環境に応じて選択すればよい。また、マルチメディアデータは、上記データ以外に動画のデータであってもよい。
【００４２】
また、上述の各実施形態においては、記憶部１３０（ＨＤＤ）に記憶された複数のマルチメディアデータの中から使用者が所望するデータを選択する場合について述べたが、他の磁気記録媒体、光記録媒体、半導体記録媒体などに記録された複数のマルチメディアデータの中から環境に合わせたデータを選択する場合にも適用でき、また、配信サーバ１０のデータベース１１に蓄積されたマルチメディアデータの中から環境に合わせたデータを選択する場合にも適用することができる。
【００４３】
また、上記実施形態においては、環境情報として、天気、現在の時間帯、車両の走行状況、車両の周辺環境に関する情報を取得する場合について述べたが、環境情報は、要は、使用者の気分や感情に影響する様々な情報のいずれかであればよく、上記情報のいずれか一つでもよく、また、上記以外の情報を取得するようにしてもよい。例えば、車両内の乗員人数を検出するために重量センサを設けたり、使用者に対して乗員人数、関係（夫婦、恋人、子供が乗っているか否か、）を合成音声で問い合わせ、このようにして取得した環境に合わせた楽曲を選択するようにしてもよい。
【００４４】
また、上述の各実施形態においては、マルチメディアデータの中からデータを選択するための制御プログラムや対話を行うための制御プログラムを予め車載再生装置１００、１００Ａに格納しておく場合について述べたが、この制御プログラムを、上記した磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバ１０などからダウンロードできるようにしてもよい。
【００４５】
【発明の効果】
上述したように本発明は、多数の楽曲などのマルチメディアデータの中から使用者が所望するマルチメディアデータを選択することができる。
【図面の簡単な説明】
【図１】第１実施形態に係る車載再生装置を含む通信システムの概要構成を示す図である。
【図２】楽曲選択テーブルの一例を示す図である。
【図３】おすすめ曲再生処理を示すフローチャートである。
【図４】環境情報更新処理を示すフローチャートである。
【図５】第２実施形態に係る話題選択テーブルの一例を示す図である。
【図６】第２実施形態に係るおすすめ曲再生処理を示すフローチャートである。
【図７】図６の続きのフローチャートである。
【符号の説明】
１  通信システム
４  通信ネットワーク
１０  配信サーバ
１１  データベース
１００、１００Ａ  車載再生装置
１１０  制御部
１２０  通信装置
１３０  記憶部
１４０  楽曲再生部
１５０  マイク
１７０  環境情報取得部
１７１  センサ部
１７２  時刻計時部
１７３  ＧＰＳ部
２００  楽曲選択テーブル
２１０  話題選択テーブル
【図１】
2004348895.tif 000003
【図２】
2004348895.tif 000004
【図３】
2004348895.tif 000005
【図４】
2004348895.tif 000006
【図５】
2004348895.tif 000007
【図６】
2004348895.tif 000008
【図７】
2004348895.tif 000009